(57)【要約】【課題】圧延スタンドの状態及び圧延材の状態を要求或いは状況等に合わせて表示器に見易く表示することができる圧延ラインの表示システムを提供する。【解決手段】圧延ラインの表示システムは、演算部２、演算部３、表示制御部５、及び選択部６を備える。表示制御部５は、選択部６によって圧延スタンド１２が選択されると、圧延材１５より圧延スタンド１２の方が視認性が高くなるように表示器７の表示を制御する。表示制御部５は、選択部６によって圧延材１５が選択されると、圧延スタンド１２より圧延材１５の方が視認性が高くなるように表示器７の表示を制御する。【選択図】図１
2019048337.tif 000002
【特許請求の範囲】
【請求項１】
圧延スタンドに関する第１情報と前記圧延スタンドを通過する圧延材に関する第２情報とに基づいて、前記圧延スタンドの状態を表示器に表示するために必要な演算を行う第１演算手段と、
前記第１情報及び前記第２情報に基づいて、前記圧延スタンドを通過する圧延材の状態を前記表示器に表示するために必要な演算を行う第２演算手段と、
前記第１演算手段による演算結果と前記第２演算手段による演算結果とに基づいて前記表示器の表示を制御する表示制御手段と、
前記圧延スタンド及び前記圧延スタンドを通過する圧延材から一方を選択するための選択手段と、
を備え、
前記表示制御手段は、
前記選択手段によって前記圧延スタンドが選択された場合は、前記圧延スタンドを通過する圧延材より前記圧延スタンドの方が視認性が高くなるように前記圧延スタンドの状態と前記圧延スタンドを通過する圧延材の状態とを前記表示器に同時に表示させ、
前記選択手段によって圧延材が選択された場合は、前記圧延スタンドより前記圧延スタンドを通過する圧延材の方が視認性が高くなるように前記圧延スタンドの状態と前記圧延スタンドを通過する圧延材の状態とを前記表示器に同時に表示させる圧延ラインの表示システム。
【請求項２】
前記表示制御手段は、
前記選択手段によって前記圧延スタンドが選択された場合は、前記圧延スタンドのうち前記圧延スタンドを通過する圧延材の陰になっている部分が視認できるように前記圧延スタンドの状態を前記表示器に３次元的に表示させ、
前記選択手段によって圧延材が選択された場合は、前記圧延スタンドを通過する圧延材のうち前記圧延スタンドの陰になっている部分が視認できるように圧延材の状態を前記表示器に３次元的に表示させる請求項１に記載の圧延ラインの表示システム。
【請求項３】
前記表示制御手段は、
前記選択手段によって前記圧延スタンドが選択された場合は、少なくとも前記圧延スタンドを通過する圧延材の一部の外形が視認できるように圧延材の状態を前記表示器に表示させ、
前記選択手段によって圧延材が選択された場合は、前記圧延スタンドを構成する機器のうち少なくとも圧延材に接触している機器の一部の外形が視認できるように前記圧延スタンドの状態を前記表示器に表示させる請求項２に記載の圧延ラインの表示システム。
【請求項４】
前記圧延スタンドに関する特定の情報を検出するための第１検出装置と、
前記圧延スタンドを通過する圧延材に関する特定の情報を検出するための第２検出装置と、
を更に備え、
前記第１情報は、前記第１検出装置によって検出された情報を含み、
前記第２情報は、前記第２検出装置によって検出された情報を含む請求項１から請求項３の何れか一項に記載の圧延ラインの表示システム。
【請求項５】
前記圧延スタンドを通過する圧延材を撮影するための第１カメラと、
を更に備え、
前記表示制御手段は、前記選択手段によって圧延材が選択された場合は、前記第１カメラによって撮影された映像を一部に用いて圧延材の状態を前記表示器に表示させる請求項１から請求項４の何れか一項に記載の圧延ラインの表示システム。
【請求項６】
前記圧延スタンドを撮影するための第２カメラと、
を更に備え、
前記表示制御手段は、前記選択手段によって前記圧延スタンドが選択された場合は、前記第２カメラによって撮影された映像を一部に用いて前記圧延スタンドの状態を前記表示器に表示させる請求項１から請求項４の何れか一項に記載の圧延ラインの表示システム。
【請求項７】
前記選択手段は、選択を手動で行うための機器である請求項１から請求項６の何れか一項に記載の圧延ラインの表示システム。
【請求項８】
記憶部を更に備え、
前記記憶部に、
前記第１情報として、前記圧延スタンドに含まれる圧延機の情報が記憶され、
前記第２情報として、前記圧延材が元来有する情報と前記圧延スタンドの上流の圧延スタンドから引き継いだ情報とが記憶される請求項１から請求項７の何れか一項に記載の圧延ラインの表示システム。
【発明の詳細な説明】
【技術分野】
【０００１】
この発明は、圧延ラインの表示システムに関する。
【背景技術】
【０００２】
例えば製造プラントでは、製造装置の状態と製造装置によって製造される被製造物の状態とを表示器に表示させ、安定な操業と被製造物の高品質化に役立てている。従来では、表示器に定型の２次元的な製造装置の図と被製造物の図とを表示し、更にそれらに関する種々の数値データを表示していた。運転員或いはエンジニアは、表示されている数値データから必要な情報を取捨選択し、操業のために使用していた。
【０００３】
これに対し、表示器に３次元的な表示を行い、利便性を向上させる技術も提案されている。例えば、特許文献１に、設備を保守するためのシステムが記載されている。特許文献１に記載されたシステムでは、機器のＣＡＤデータと機器に収容されている内容物のＣＧ画像等を合成し、視覚的に対応付けて表示器に表示している。
【先行技術文献】
【特許文献】
【０００４】
【特許文献１】特開２０１３−１４９０４２号公報
【発明の概要】
【発明が解決しようとする課題】
【０００５】
特許文献１に記載されたシステムは、設備を保守するためのものである。このため、このシステムでは、設備の状態等を稼働状況に合わせて表示器に見易く表示させることができなかった。
【０００６】
例えば圧延ラインに携わる部門に品質管理部門と設備管理部門とがある。品質管理部門は、製造装置によって製造される金属板（圧延材）の品質を管理する部門である。設備管理部門は、製造装置を管理する部門である。これらの部門では、それぞれ監視したい対象が異なる。例えば、品質管理部門の人は、圧延材の品質を維持するために、製造装置の内部において圧延材がどのように加工されているのかを監視したい。設備管理部門の人は、製造装置を良好な状態に維持するために、製造装置の稼働状況を監視したい。特許文献１に記載されたシステムでは、これらの要求に応えることができなかった。
【０００７】
この発明は、上述のような課題を解決するためになされた。この発明の目的は、圧延ラインに備えられる製造装置の一つである圧延スタンドの状態及び圧延スタンドを通過する圧延材の状態を要求或いは状況等に合わせて表示器に見易く表示することができる圧延ラインの表示システムを提供することである。
【課題を解決するための手段】
【０００８】
この発明に係る圧延ラインの表示システムは、圧延スタンドに関する第１情報と圧延スタンドを通過する圧延材に関する第２情報とに基づいて、圧延スタンドの状態を表示器に表示するために必要な演算を行う第１演算手段と、第１情報及び第２情報に基づいて、圧延スタンドを通過する圧延材の状態を表示器に表示するために必要な演算を行う第２演算手段と、第１演算手段による演算結果と第２演算手段による演算結果とに基づいて表示器の表示を制御する表示制御手段と、圧延スタンド及び圧延スタンドを通過する圧延材から一方を選択するための選択手段と、を備える。表示制御手段は、選択手段によって圧延スタンドが選択された場合は、圧延スタンドを通過する圧延材より圧延スタンドの方が視認性が高くなるように圧延スタンドの状態と圧延スタンドを通過する圧延材の状態とを表示器に同時に表示させる。表示制御手段は、選択手段によって圧延材が選択された場合は、圧延スタンドより圧延スタンドを通過する圧延材の方が視認性が高くなるように圧延スタンドの状態と圧延スタンドを通過する圧延材の状態とを表示器に同時に表示させる。
【発明の効果】
【０００９】
この発明に係る圧延ラインの表示システムであれば、圧延スタンドの状態及び圧延スタンドを通過する圧延材の状態を要求或いは状況等に合わせて表示器に見易く表示することができる。
【図面の簡単な説明】
【００１０】
【図１】この発明の実施の形態１における表示システムの構成を示す図である。
【図２】図１に示す表示システムを圧延ラインに適用した時の表示器の表示例を示す。
【図３】図１に示す表示システムの動作例を示すフローチャートである。
【図４】製造装置と製造装置によって製造される被製造物との外観を示す一般的な図である。
【図５】圧延材の表示を優先した場合の表示器の表示例を示す図である。
【図６】圧延スタンドの表示を優先した場合の表示器の表示例を示す図である。
【図７】圧延ロールの出側の圧延材を強調表示した例を示す図である。
【図８】圧延ロールの断面を強調表示した例を示す図である。
【図９】カメラによって撮影された映像を用いた場合の表示器の表示例を示す図である。
【図１０】この発明の実施の形態１における表示システムの他の構成を示す図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、この発明の実施の形態１における表示システムの構成を示す図である。
図１に示す表示システムは、例えば、圧延スタンドを備えた圧延ラインに適用される。本表示システムを利用することにより、圧延スタンドの状態と圧延スタンドによって製造される金属板（圧延材）の状態との双方を監視することができる。圧延材は製品でも良いし、中間生成品でも良い。例えば、品質管理部門の人は、この表示システムを利用して圧延スタンドの内部において圧延材がどのように処理されているのかを監視する。設備管理部門の人は、この表示システムを利用して圧延スタンドの稼働状況を監視する。
【００１３】
品質管理部門による監視と設備管理部門による監視とを正確且つ効率的に行うことができるように、本表示システムに表示装置１が備えられる。表示装置１は、例えば演算部２、演算部３、記憶部４、表示制御部５、選択部６及び表示器７を備える。
【００１４】
演算部２は、圧延スタンドの状態を表示器７に表示するために必要な種々の演算を行う。演算部２は、例えば第１情報と第２情報とに基づいて演算を行う。第１情報は、圧延スタンドに関する情報である。第２情報は、圧延スタンドによって製造される圧延材に関する情報である。第１情報及び第２情報は、例えば記憶部４に記憶されている。
【００１５】
演算部３は、圧延スタンドによって製造される圧延材の状態を表示器７に表示するために必要な種々の演算を行う。演算部３は、例えば第１情報と第２情報とに基づいて演算を行う。例えば、演算部３は、記憶部４に記憶されている第１情報のうち演算部２が演算に使用する情報と同じ情報を一部に用いて演算を行う。同様に、演算部３は、記憶部４に記憶されている第２情報のうち演算部２が演算に使用する情報と同じ情報を一部に用いて演算を行う。
【００１６】
検出装置８は、圧延スタンドに関する特定の情報を検出する。例えば、圧延スタンドがモータを備える場合、検出装置８はモータの速度を検出する。検出装置８が検出する情報はこれに限定されない。また、複数の検出装置８を備えても良い。検出装置８は、検出した情報を表示装置１に出力する。上記第１情報に検出装置８によって検出された情報を含めても良い。
【００１７】
検出装置９は、圧延スタンドによって製造される圧延材に関する特定の情報を検出する。例えば、検出装置９は圧延材の厚みを検出する。検出装置９が検出する情報はこれに限定されない。また、複数の検出装置９を備えても良い。検出装置９は、検出した情報を表示装置１に出力する。上記第２情報に検出装置９によって検出された情報を含めても良い。
【００１８】
表示制御部５は、表示器７の表示を制御する。表示制御部５は、演算部２による演算結果と演算部３による演算結果とに基づいて表示の制御を行う。例えば、表示制御部５は、圧延スタンドの状態と圧延スタンドによって製造される圧延材の状態とを表示器７に同時に表示させる。表示制御部５は、条件に応じて、圧延スタンドによって製造される圧延材より圧延スタンドの方が視認性が高くなるように表示器７に表示させる情報量を調節する。また、表示制御部５は、条件に応じて、圧延スタンドより圧延スタンドによって製造される圧延材の方が視認性が高くなるように表示器７に表示させる情報量を調節する。
【００１９】
選択部６は、圧延スタンドと圧延スタンドによって製造される圧延材とから一方を選択するためのものである。選択部６は、例えば押しボタン或いは切換スイッチ等の上記選択を手動で行うための機器からなる。かかる場合、選択部６による選択は、本表示システムの使用者によって手動で行われる。選択部６による選択を自動で行っても良い。かかる場合、選択部６は、例えば圧延スタンドによって圧延材が製造されている間は圧延材を選択する。選択部６は、圧延スタンドによって圧延材が製造されていない間は圧延スタンドを選択する。
【００２０】
選択部６による選択を自動及び手動の双方で行っても良い。かかる場合、選択部６は、手動による選択が行われていなければ条件に応じた自動選択を行う。選択部６は、手動による選択が行われると自動選択された結果より手動選択された結果を優先する。
選択部６による選択は、これらの方法に限定されない。
【００２１】
選択部６による選択は、表示器７に強調して表示するものを選ぶために行われる。表示制御部５は、選択部６によって圧延スタンドが選択されると、圧延材より圧延スタンドの方が視認性が高くなるように表示器７の表示を制御する。これにより、表示器７には圧延スタンドの状態が詳細に表示され、圧延材に関する表示は簡略化される。表示制御部５は、選択部６によって圧延材が選択されると、圧延スタンドより圧延材の方が視認性が高くなるように表示器７の表示を制御する。これにより、表示器７には圧延材の状態が詳細に表示され、圧延スタンドに関する表示は簡略化される。
【００２２】
次に、本表示システムを圧延ラインに適用した例について説明する。図２は、図１に示す表示システムを圧延ラインに適用した時の表示器７の表示例を示す。圧延ラインは、例えばシャー１０、ＦＳＢ１１、エッジャ２１、圧延スタンド１２、ランアウトテーブル１３及びダウンコイラ１４といった複数の製造装置を備える。図２は、７台の圧延スタンド１２を備える圧延ラインに本表示システムを適用した時の表示例を示している。圧延ラインの製造装置によって製造される被製造物は金属板（圧延材１５）である。
【００２３】
本表示システムの使用者は、図２に示す表示器７の表示を見て、拡大表示したい製造装置を入力部１６を使用して入力する。入力部１６の機能は、必要に応じて表示装置１に備えられる機能である。入力部１６として、例えばキーボード或いはマウスを備えても良い。以下に、一例として、拡大表示したい製造装置として１つの圧延スタンド１２が選択された時の本表示システムの動作について、図３を参照して説明する。図３は、図１に示す表示システムの動作例を示すフローチャートである。
【００２４】
拡大表示したい製造装置として１つの圧延スタンド１２が選択されると、演算部２及び３は、記憶部４と検出装置８及び９とから演算に必要な情報を取得する（Ｓ１０１）。Ｓ１０１で演算部２及び３が取得する情報には、例えば以下の情報が含まれる。
Ｉ）圧延材１５が元来有する情報：第２情報
圧延材１５の化学成分、原料（スラブ）の厚み・幅・長さ、製品目標値としての厚み・幅等
ＩＩ）上流の圧延スタンド１２から引き継いだ情報：第２情報
圧延ロールの入り側の圧延材１５の厚み・幅・温度・幅方向の厚みプロファイル（板厚分布）・平坦度等
ＩＩＩ）圧延機の情報：第１情報
圧延ロールの回転速度の実績値、ロールギャップの実績値、ロールの幅方向のプロファイル（熱膨張量及び摩耗量を考慮したロール直径の分布）、各構成要素の寸法（圧延機を詳細表示及びスケルトン表示するために必要な情報）等
なお、ロールの幅方向のプロファイルは、モデルを用いて計算できる。
【００２５】
演算部２は、取得した各種情報に基づいて、当該圧延スタンドの状態を表示器７に表示するために必要な演算を行う（Ｓ１０２）。演算部３は、取得した各種情報に基づいて、当該圧延スタンドを通過する圧延材１５の状態を表示器７に表示するために必要な演算を行う（Ｓ１０２）。演算部２及び３は、Ｓ１０２において、記憶部４に記憶されている圧延モデルを用いて、例えば以下の情報を演算する。
ＩＶ）圧延ロールバイト内の各種情報
変形抵抗、圧延荷重、先進率及び後進率、中立角、噛み込み角度等
Ｖ）圧延ロール出側の各種情報
圧延材１５の厚み・幅・温度・幅方向の厚みプロファイル（板厚分布）・平坦度・位置等
【００２６】
表示制御部５は、Ｓ１０１で取得された情報とＳ１０２で演算された情報とに基づいて、当該圧延スタンド１２の状態と圧延材１５の状態とを表示器７に同時に表示させる（Ｓ１０３）。この時、表示制御部５は、選択部６による選択結果に応じて、圧延スタンド１２又は圧延材１５の一方の状態を詳細に表示し、他方の状態を簡易に表示する。以下に、図４から図８も参照し、表示制御部５の機能について具体的に説明する。
【００２７】
図４は、製造装置と製造装置によって製造される被製造物との外観を示す一般的な図である。製造装置は、被製造物に対して加工或いは塗装等の処理を行う。処理前の被製造物が製造装置に進入すると、製造装置によって被製造物に対して処理が施される。処理が施された被製造物は、製造装置から搬出される。一般に、製造装置は、外側がケースによって覆われている。このため、ケースの内側に存在する機器及び被製造物を外側から見ることはできない。また、製造装置がケースによって覆われていない場合でも、機器が干渉する部分を外側から見ることはできない。
【００２８】
そこで、表示制御部５は、選択部６によって圧延材１５が選択された場合は、圧延スタンド１２の表示より圧延材１５の表示を優先し、圧延スタンド１２の状態より圧延スタンド１２を通過する圧延材１５の状態をより詳細に表示器７に表示する。
【００２９】
図５は、圧延材１５の表示を優先した場合の表示器７の表示例を示す図である。表示制御部５は、例えば、圧延スタンド１２の状態と圧延材１５の状態とを３次元的に表示器７に表示させる。この時、表示制御部５は、図５に示すように、圧延材１５のうち圧延スタンド１２の陰になっている部分が視認できるように圧延材１５の状態を表示器７に３次元的に表示させる。圧延スタンド１２の表示に関しては、表示制御部５は、圧延スタンド１２を構成する機器のうち圧延材１５に接触している機器の一部又は全部の外形が視認できるように圧延スタンド１２の状態を表示器７に表示させる。図５は、圧延材１５を薄く延ばすための圧延ロール１７を表示器７にスケルトン表示する例を示している。なお、圧延材１５の表示を優先する表示方法はこれに限定されない。
【００３０】
表示制御部５は、選択部６によって圧延スタンド１２が選択された場合は、圧延材１５の表示より圧延スタンド１２の表示を優先し、圧延スタンド１２を通過する圧延材１５の状態より圧延スタンド１２の状態をより詳細に表示器７に表示する。
【００３１】
図６は、圧延スタンド１２の表示を優先した場合の表示器７の表示例を示す図である。例えば、表示制御部５は、図６に示すように、圧延スタンド１２のうち圧延材１５の陰になっている部分が視認できるように圧延スタンド１２の状態を表示器７に３次元的に表示させる。圧延材１５の表示に関しては、表示制御部５は、圧延材１５の一部又は全部の外形が視認できるように圧延材１５の状態を表示器７に表示させる。図６は、圧延材１５の厚みを無視し、圧延材１５を２次元的に表示器７にスケルトン表示する例を示している。なお、圧延スタンド１２の表示を優先する表示方法はこれに限定されない。
【００３２】
このように、圧延スタンド１２又は圧延材１５の一方の情報を他方の情報より多く表示することにより、使用者の要求或いはその時の状況に応じた適切な表示が可能となる。また、一方を陰になっている部分まで詳細に表示し且つ他方の表示を簡略化することにより、メリハリをつけた表示が可能となり、視認性を向上させることができる。一方の視認性を更に高めるためには、上記例のように他方を透明性のある表示にすることが良い。上記例であれば、圧延材１５が圧延ロール１７によって圧延される状態を表示器７に詳しく表示することができる。また、一方を透明性のある表示にした場合は、圧延スタンド１２の電動機１８が回転している様子を表示器７に詳しく表示しても良い。
【００３３】
また、表示制御部５は、出力項目が指定された場合（Ｓ１０４）は、指定された項目に関する情報を表示器７に表示させても良い（Ｓ１０５）。出力項目の指定は、例えば入力部１６を用いて行われる。また、指定できる項目は、予め設定される。
【００３４】
選択部６によって圧延材１５が選択されている場合は、圧延材１５に関する項目のみを指定できるようにしても良い。図５は、圧延ロール１７の入り側の圧延材１５の厚みと幅とが出力項目として指定された例を示している。表示制御部５は、圧延モデル等を使用してシミュレーション表示した圧延材１５の入り側の部分の近傍に、指定された項目の数値データを追加表示させる。
【００３５】
表示制御部５は、指定された項目に関する情報を表示器７に表示させる際に、圧延材１５の一部又は全部を強調表示させても良い。図７は、圧延ロール１７の出側の圧延材１５を強調表示した例を示す図である。例えば、図５に示す内容が表示器７に表示されている時に圧延ロール１７の出側の圧延材１５をポインタでクリックすると、圧延材１５の中央部の厚みが端部の厚みより大きいことを強調した表示に変わる。
【００３６】
圧延材１５には、板クラウンという品質指標がある。圧延材１５を幅方向に渡って完全に平坦に形成することは難しい。圧延材１５は、一般に幅方向の中央部が厚く、端部は薄い。圧延材１５の幅方向の中央部の厚みと端部から数十ｍｍ内側の部分の厚みとの差を板クラウンと呼ぶ。板クラウンは、０．１ｍｍのオーダであることが多い。このため、板クラウンが出力項目として指定された際に圧延材１５を実際の尺度で表示器７に表示すると、圧延材１５の厚みの違いを表示器７の表示から見分けることは困難になる。
【００３７】
そこで、図７に示すように、圧延材１５の厚みの違いを強調して表示器７に表示する。これにより、圧延材１５の厚みの違いを表示器７の表示から容易に把握することができる。なお、選択部６によって圧延材１５が選択されている場合は、圧延スタンド１２の表示は簡略化されている。このため、圧延材１５を強調表示しても圧延材１５と圧延スタンド１２との境界部分が見難くなることはない。板クラウンの他にも、圧延材１５の板幅、厚み及び平坦度等のデータを追加表示する際に、対象部分の強調表示を行っても良い。
【００３８】
指定項目に関する情報の表示方法は上記に限定されない。例えば、多次元表示による図、グラフ及び映像等を用いて指定項目に関する情報を分かり易く表示器７に追加表示させても良い。
【００３９】
一方、選択部６によって圧延スタンド１２が選択されている場合は、圧延スタンド１２に関する項目のみを指定できるようにしても良い。図６は、電動機１８の回転数・トルク・電流と圧下装置１９の荷重と圧延ロール１７の速度とが出力項目として指定された例を示している。表示制御部５は、電動機１８、圧下装置１９及び圧延ロール１７の各近傍に、指定された項目の数値データを追加表示させる。
【００４０】
表示制御部５は、指定された項目に関する情報を表示器７に表示させる際に、圧延スタンド１２の一部又は全部を強調表示させても良い。図８は、圧延ロール１７の断面を強調表示した例を示す図である。例えば、図６に示す内容が表示器７に表示されている時に圧延ロール１７の断面を指定するように圧延ロール１７をポインタでクリックすると、圧延ロール１７の径の違いを強調した断面表示に変わる。
【００４１】
圧延材１５が高温である場合、圧延ロール１７は、圧延材１５から受ける熱及び圧延材１５との摩擦による熱等によって熱膨張する。また、圧延ロール１７は、圧延材１５との接触及び摩擦により摩耗する。圧延ロール１７を幅方向に切った時の断面は、熱膨張及び摩耗によって複雑な形状になる。しかし、圧延ロール１７の径の変化量はその径と比較して小さな量である。このため、圧延ロール１７の断面を実際の尺度で表示器７に表示すると、圧延ロール１７の径の違いを表示器７の表示から見分けることは困難になる。
【００４２】
そこで、図８に示すように、圧延ロール１７の径の違いを強調して表示器７に表示する。これにより、圧延ロール１７の径の違いを表示器７の表示から容易に把握することができる。圧延ロール１７の断面形状を検出する検出装置８が圧延スタンド１２の内部に設けられていれば、この検出装置８による検出結果を表示に利用しても良い。このような検出装置８が設けられていない場合は、例えば、圧延ロール１７の形状モデルを用いたシミュレーションによる計算結果から圧延ロール１７の断面形状を求めることができる。圧延ロール１７の断面形状の他にも、種々の情報を表示する際に、対称部分の強調表示を行っても良い。
【００４３】
指定項目に関する情報の表示方法は上記に限定されない。例えば、多次元表示による図、グラフ及び映像等を用いて指定項目に関する情報を分かり易く表示器７に追加表示させても良い。
【００４４】
上記説明では、演算部２及び３が各種表示に必要な全ての演算を行った上で、表示制御部５が選択部６による選択結果に応じて必要な情報を選択し、表示器７に表示させた。これは一例である。演算部２及び３が選択部６による選択結果に応じてその時点で表示に必要な演算のみを行っても良い。
【００４５】
次に、本表示システムが採用可能な他の例について説明する。以下において詳しく説明しない構成、機能及び動作については、上述した構成、機能及び動作と同じである。
【００４６】
図１に示すように本表示システムがカメラ２０を備える場合、表示制御部５は、カメラ２０によって撮影された映像を表示器７に表示させても良い。例えば、圧延スタンド１２によって製造される圧延材１５をカメラ２０（第１カメラ）が撮影する場合、表示制御部５は、選択部６によって圧延材１５が選択されていれば、カメラ２０によって撮影された映像を一部に用いて圧延材１５の状態を表示器７に表示させる。
【００４７】
図９は、カメラ２０によって撮影された映像を用いた場合の表示器７の表示例を示す図である。圧延材１５のうち圧延スタンド１２の内部に配置された部分はカメラ２０によって撮影することができない。しかし、圧延材１５のうち圧延スタンド１２から出てきた部分はカメラ２０によって撮影することができる。図９は、圧延材１５のうちケースから出てきた部分をシミュレーションによる表示からカメラ２０による実像に置き換える例を示している。
【００４８】
一方、カメラ２０（第２カメラ）が圧延スタンド１２を撮影する場合、表示制御部５は、選択部６によって圧延スタンド１２が選択されていれば、カメラ２０によって撮影された映像を一部に用いて圧延スタンド１２の状態を表示器７に表示させる。カメラ２０がケースの内側に存在する機器を撮影する場合は特に有効な手段となる。
【００４９】
図１０はこの発明の実施の形態１における表示システムの他の構成を示す図である。図１０に示す表示システムは、表示器７ａ及び７ｂを備える。表示制御部５ａは、表示器７ａの表示を制御する。選択部６ａによる選択は、表示器７ａに強調して表示する対象を選ぶために行われる。入力部１６ａは、表示器７ａを見る人が情報を入力するためのものである。
【００５０】
同様に、表示制御部５ｂは、表示器７ｂの表示を制御する。選択部６ｂによる選択は、表示器７ｂに強調して表示する対象を選ぶために行われる。入力部１６ｂは、表示器７ｂを見る人が情報を入力するためのものである。
【００５１】
上記構成であれば、表示器７ａに圧延スタンド１２を詳細に表示し、表示器７ｂに圧延材１５を詳細に表示することもできる。本表示システムに３台以上の表示器７を備えても良い。かかる場合は、表示器７の一部を遠隔に設置しても良い。このような構成を採用することにより、本表示システムを利用したい人が複数いる場合でも、各人の要求に応えることができる。
【００５２】
本実施の形態において、符号２、３及び５（自動選択の場合は更に符号６）に示す各部は、表示装置１が有する機能を示す。表示装置１は、ハードウェア資源として、例えば入出力インターフェースとＣＰＵとメモリとを含む回路を備える。表示装置１は、メモリに記憶されたプログラムをＣＰＵによって実行することにより、各部２、３及び５（６）が有する各機能を実現する。各部２、３及び５（６）が有する機能の一部又は全部をハードウェアによって実現しても良い。
【符号の説明】
【００５３】
１  表示装置
２  演算部（第１演算部）
３  演算部（第２演算部）
４  記憶部
５  表示制御部
６  選択部
７  表示器
８  検出装置（第１検出装置）
９  検出装置（第２検出装置）
１０  シャー
１１  ＦＳＢ
１２  圧延スタンド
１３  ランアウトテーブル
１４  ダウンコイラ
１５  圧延材
１６  入力部
１７  圧延ロール
１８  電動機
１９  圧下装置
２０  カメラ
２１  エッジャ
【図１】
2019048337.tif 000003
【図２】
2019048337.tif 000004
【図３】
2019048337.tif 000005
【図４】
2019048337.tif 000006
【図５】
2019048337.tif 000007
【図６】
2019048337.tif 000008
【図７】
2019048337.tif 000009
【図８】
2019048337.tif 000010
【図９】
2019048337.tif 000011
【図１０】
2019048337.tif 000012